(57)【特許請求の範囲】
【請求項１】
フェルトを抄紙機内の所定の走行経路に引き込むための牽引手段に連結される先端連結部と、前記フェルトの端部に形成された接合ループを保護するために前記フェルトにおけるマシン側の面と湿紙側の面とをそれぞれ覆う覆い部とからなるリードカバーを、前記フェルトに取り付けるための取付構造であって、
前記リードカバーと前記フェルトとは、該フェルトに対して取り外し可能な連結具を介して相互に連結され、該連結具は、前記フェルトに縫着されるフェルト側の連結部材と、前記リードカバーの覆い部に縫着されるリードカバー側の連結部材とが、各々に幅方向に複数並設されたループの互いの中心孔を整合させてその共通孔にワイヤを挿通することで互いに連結され、該ワイヤを抜き取ることで互いに分離されて前記フェルトから前記リードカバーを取り外し可能としたことを特徴とする取付構造。
【請求項２】
前記ループは、前記フェルトを抄紙機に引き込む際に前記フェルト並びに前記リードカバーの覆い部に重なり合い可能なテープ状部材の側縁に並設されたことを特徴とする請求項１に記載の取付構造。
【請求項３】
前記フェルト側の連結部材を構成するテープ状部材は、取付シートを介して前記フェルトに縫着されたことを特徴とする請求項２に記載の取付構造。
【発明の詳細な説明】
【０００１】
【発明の属する技術分野】
本発明は、フェルトを抄紙機内の所定の走行経路に引き込むための牽引手段とフェルトの端部との間に介装されるリードカバーの取付構造に関するものである。
【０００２】
【従来の技術】
抄紙機への掛け入れ作業性を向上させるため、フェルトの走行経路、いわゆるフェルトランに有端のフェルトを引き込んだ上でその両端部を互いに接合して無端とする、いわゆるシームフェルトが知られている。両端部の接合は、基布を構成する経糸を端部で折り返すことにより形成された接合ループを、互いの中心孔が整合するように交互にかみ合わせ、これにより形成された共通孔に芯線を通すことで行われる。
【０００３】
フェルトの引き込み作業では、交換前のフェルト（以下、前反と呼称する）が抄紙機内に残っている場合には、図４に示すように、この前反４１の要所を幅方向に切断し、その一方の端部に新しいフェルト（以下、当反と呼称する）４２の端部を連結し、前反４１を他方の端部から引き抜きながら当反４２を抄紙機内の多数のロール４３により規定された走行経路に引き入れる。他方、前反が抄紙機内にない場合には、走行経路に複数本のロープを通し、このロープを当反の端部に連結し、ロープを引っ張って当反を抄紙機内に引き入れる。
【０００４】
前反あるいはロープ等の牽引手段と当反とを連結するにあたっては、抄紙機への引き込み途中で外れない程度の連結強度が得られ、しかも当反を傷付けないような連結方法を採用する必要がある。また、フェルトの端部には、フェルトの両端を仮止めして接合ループに芯線を通す作業を容易にする仮接合具が設けられており、この仮接合具が、抄紙機のロールを傷付けないようにすると共に引っかかりにより作業が中断することを避ける必要がある。そこで、従来、フェルトの端部を覆うシート材で構成されたリードカバーを牽引手段との間に介装し、このリードカバーとフェルトとをフェルトが損傷しない比較的柔軟な糸で縫合して連結するようにしていた。
【０００５】
【発明が解決しようとする課題】
この場合、フェルトからリードカバーを取り外すには、リードカバーとフェルトとを縫合する糸を引き抜く必要があり、この糸の引き抜きが容易に行えるように鎖縫いが採用されているが、幅広なフェルトでは途中で糸が切れて作業に手間取ることがあった。この糸切れは高強度の糸を採用することで解決することもできるが、縫合によってフェルトの損傷を招くことがないようにする制約から、必ずしも強度面で有利な糸を選定することができないため、糸切れを防ぐには抜き取り作業を慎重に行うしかなく、フェルト掛け入れ作業の効率化を図る上での障害となっていた。
【０００６】
本発明は、このような従来技術の問題点を解消するべく案出されたものであり、その主な目的は、製紙用フェルト掛け入れ用リードカバーの取付構造を、フェルトからの取り外しを迅速に行い得るように構成することにある。
【０００７】
【課題を解決するための手段】
このような目的を果たすために、本発明においては、フェルトを抄紙機内の所定の走行経路に引き込むための牽引手段に連結される先端連結部と、フェルトの端部に形成された接合ループを保護するためにフェルトにおけるマシン側の面と湿紙側の面とをそれぞれ覆う覆い部とからなるリードカバーを、フェルトに取り付けるための取付構造を、リードカバーとフェルトとが、このフェルトに対して取り外し可能な連結具を介して相互に連結され、この連結具は、フェルトに縫着されるフェルト側の連結部材と、リードカバーの覆い部に縫着されるリードカバー側の連結部材とが、各々に幅方向に複数並んで設けられたループの互いの中心孔を整合させてその共通孔にワイヤを挿通することで互いに連結され、このワイヤを抜き取ることで互いに分離されてフェルトからリードカバーを取り外し可能とした。
【０００８】
これによると、抄紙機への引き込み作業が終了した後、ワイヤをループから抜き取るだけでフェルトからリードカバーを取り外すことができ、リードカバーの取り外し作業が簡略化され、速やかに次の作業に移ることができる。特に、開梱してからフェルトの両端部の接合工程に入るまでの時間を短縮することができるため、湿気によりナイロン製の接合ループが軟化してループのかみ合わせ作業が面倒になる不都合を避けることができる。この場合、フェルトに作用する牽引力が一部に集中しないように、幅方向のループ列をフェルトの略全幅に渡るように設けることが望ましい。
【０００９】
その上、フェルトと連結具とをミシンで縫合する場合には、このフェルトと連結具との縫合部からフェルトの先端縁までの長さに対応したふところ寸法のミシンで良く、リードカバーをフェルトに直接縫着する場合のように、縫合部からリードカバーの先端縁までの長さに適合した大きなふところ寸法のミシンを用意する面倒がなくなり、製造設備が煩雑化して製造コストが嵩む不都合を避けることができる。
【００１０】
この場合、フェルト側の連結部材は最終的にフェルトから取り外されるが、これは後の工程、例えばフェルトの両端の接合ループに芯線を通す接合工程での作業の合間に適宜に行えば良い。このとき、フェルト側の連結部材とフェルトとを鎖縫いで縫合しておくと、取り外し作業が容易になる。
【００１１】
特に、前記ループは、フェルトを抄紙機に引き込む際にフェルト並びにリードカバーの覆い部に重なり合い可能なテープ状部材の側縁に並設された構成とすると好ましく、これによると、連結具が嵩張らないことから、フェルトの引き込み作業を円滑に行うことができる。なお、リードカバー側のループは、フェルト側と同様のテープ状部材を設けることで対応する構成でも良いが、フェルト側とは異なり、引き込み作業終了後にリードカバーから連結部材を取り外す必要がないため、必ずしも同一の構成とする必要はない。
【００１２】
その上、前記フェルト側の連結部材を構成するテープ状部材は、取付シートを介してフェルトに縫着された構成とすると良い。これによると、取付シートに、縫合時の運針、特に縫針を刺す際の負荷が小さな素材のものを採用することで、テープ状部材の構成如何に関わらず、連結具のフェルトへの縫着作業が容易になり、縫合時のフェルトの損傷を避けることができる。
【００１３】
テープ状部材においては、ループの径を大きくしたり、あるいはループを形成する糸に剛性の高いものを採用することにより、ループへのワイヤの挿通作業を容易にすることができるが、反面、テープ状部材の厚さが増す等して縫合時の縫針の負荷が大きくなり、布厚の大きなフェルトと直接縫合する構成では、縫合作業が面倒になる上にフェルトを傷めることになる。これに対して、前記のように取付シートをフェルトに縫着する構成とすると、前記の不都合を避けることができる。テープ状部材と取付シートとは適宜な方法で連結すれば良く、縫合による場合でもテープ状部材とフェルトとの直接縫合に比較して作業は容易である。
【００１４】
【発明の実施の形態】
以下に添付の図面を参照して本発明の構成を詳細に説明する。
【００１５】
図１は、本発明が適用されたリードカバーを示している。このリードカバー１は、抄紙機内の前反あるいは走行経路に通されたロープ等の牽引手段とフェルト２の端部との間に介装されて、フェルト２を抄紙機内の走行経路に誘導するものであり、牽引手段に連結紐３を介して連結される先端連結部４と、フェルト２における抄紙機のロール等が接触するマシン側の面（図中の上面）２ａと湿紙側の面（図中の下面）２ｂとをそれぞれ覆う覆い部５・６とからなっている。
【００１６】
先端連結部４には、連結紐３を通す穴８の外側に筒状部９が形成され、この筒状部９には所要の剛性の棒材１０が挿通され、連結紐３を介してリードカバー１に作用する牽引力を幅方向に均一に分散させるようになっている。
【００１７】
覆い部５・６は、フェルト２の端部に形成された接合ループ１２を保護すると共に、フェルト２に設けられた仮接合具１３が損傷しないように、またこの仮接合具１３との接触により抄紙機側のロール等の部品が損傷しないように保護する機能を果たす。仮接合具１３は、フェルト２の両端を仮止めして接合作業を容易にするものであり、ここでは、スライドファスナ式のファスナテープ１４が連結布１５を介してフェルト２に縫着された構成となっている。
【００１８】
フェルト２は、覆い部５・６の外側をさらに遮水シート１７で覆われており、これによりフェルト２を抄紙機内に引き込んだ際にその内部に残留する水分でフェルト２が濡れて以後の作業が面倒になる不都合を避けることができる。遮水シート１７は、抄紙機の構造やフェルト２の寸法などに応じて所要の遮水効果が得られるように覆い部５・６より長尺な適切な長さに設定される。
【００１９】
なおここでは、マシン側の覆い部５と先端連結部４とが１枚のシート材から形成され、これに湿紙側の覆い部６をなすシート材が、先端連結部４側で幅方向に沿って縫合することにより一体化されているが、例えば１枚のシート材を先端連結部４で二つ折りにした構成など、種々の態様が可能である。また、覆い部５・６は、その左右の両側縁部を互いに縫合されて袋状になっている。これと同様、遮水シート１７においてもこれを構成する表材１８と裏材１９とが先端連結部４側で幅方向に沿って縫合されると共に左右の両側縁部を互いに縫合されて袋状になっている。
【００２０】
リードカバー１とフェルト２とは、このフェルト２に対して取り外し可能な連結具２１を介して相互に連結され、この連結具２１は、図２に示すように、フェルト２側の連結部材２２とリードカバー１側の連結部材２３とが、各々に幅方向に複数並設されたループ２４・２５の互いの中心孔を整合させてその共通孔にワイヤ２６を挿通することで互いに連結されると共にこのワイヤ２６を抜き取ることで互いに分離されてフェルト２からリードカバー１を取り外し可能となっている。なおここでは、連結具２１が、仮接合具１３と共にフェルト２におけるマシン側の面（図中の上面）２ａに設けられており、フェルト２に対する縫合作業を能率良く行うことができる。
【００２１】
フェルト２側並びにリードカバー１側のループ２４・２５はそれぞれ、フェルト２並びにリードカバー１の覆い部５に重なり合い可能なテープ状部材２８・２９の側縁に並設されている。ここでは、フェルト２側並びにリードカバー１側の両テープ状部材２８・２９は同一構成のものである。フェルト２側の連結部材２２を構成するテープ状部材２８は、取付シート３０を介してフェルト２に縫着されている。リードカバー１側の連結部材２３を構成するテープ状部材２９は、リードカバー１の覆い部５に直接縫着されている。なお、前記の連結具２１を構成する各部材は、フェルト２の略全幅に渡って延設されている。
【００２２】
これらテープ状部材２８・２９並びに取付シート３０は、フェルト２を抄紙機に引き込む際に、フェルト２並びにリードカバー１の覆い部５と重なり合った状態となり、抄紙機内に円滑に引き込まれる。
【００２３】
取付シート３０は、縫合時の運針、特に縫針が刺さる際の負荷が小さな素材からなっており、テープ状部材２８の一面に所定幅をもって重なり合った状態で縫着されている。取付シート３０とフェルト２とは鎖縫いで縫合され、その縫合糸２７を引き抜くことでフェルト２から取付シート３０を取り外すことができる。なお、取付シートを２枚のシート材で構成し、テープ状部材２８をテープ状部材を挟み込む態様も可能である。取付シート３０の素材としては、例えばフェルト材や、マルチフィラメントからなる薄手の織布などが挙げられる。また、この取付シート３０は、ワイヤ２６の挿通及び抜き取り時の作業性などを勘案して適宜な長さに設定される。
【００２４】
テープ状部材２８は、例えば図３に示すように、ループ２４を形成する糸（モノフィラメント）３１とこれと絡合する糸（マルチフィラメント）３２とで構成された織布からなり、取付シート３０やリードカバー１の覆い部５との縫合部分を一重織りとしてその布厚を小さくすることで縫合を容易にしている。また、ループ２４は、テープ状部材２８の長手方向に所定間隔をおいて多数設けられており、相手側ループに対して交互にかみ合わせることで高い結合強度が得られると同時にワイヤ２６の挿入が容易になっている。
【００２５】
ここでは、ループ２４とループを形成せずに折り返された折り曲げ部３３とが交互に配置され、隣り合うループとの間隔が糸３１の径よりも十分に大きく設定され、相手側ループとのかみ合わせが容易になっている。なお、テープ状部材２８は、この他に、ループを形成する糸が螺旋を描きながら織布の側縁部分の糸に絡み付く構成とする等、種々の形態が可能である。以上の点は、リードカバー１側のテープ状部材２９についても同様である。
【００２６】
ワイヤ２６の抜き取りは、遮水シート１７及びリードカバー１における先端連結部４と相反する側の開放縁部を捲って行えば良いが、前記の通り、袋状とした遮水シート１７並びにリードカバー１が長尺な場合、ワイヤ２６の抜き取りの作業が容易になるように、遮水シート１７及びリードカバー１に予め穴を開設したりあるいは穴の開設位置に印を付す等して遮水シート１７及びリードカバー１を捲ることなくワイヤ２６を抜き取ることが可能なようにしておくと良い。
【００２７】
【発明の効果】
このように本発明によれば、ワイヤを抜き取るといった簡単な操作でフェルトからリードカバーを取り外すことができるため、速やかに次の作業に移ることができ、掛け入れ作業を効率良く進める上で大きな効果が得られる。
【図面の簡単な説明】
【図１】本発明が適用されたリードカバーの全体斜視図。
【図２】図１に示した連結具の断面図。
【図３】図１に示した連結具を構成するテープ状部材の一例を示す拡大断面図。
【図４】抄紙機へのフェルトの引き込み作業の要領を示す概念図。
【符号の説明】
１  リードカバー
２  フェルト
３  連結紐
４  先端連結部
５・６  覆い部
１２  接合ループ
１３  仮接合具
１７  遮水シート
２１  連結具
２２・２３  連結部材
２４・２５  ループ
２６  ワイヤ
２８・２９  テープ状部材
３０  取付シート
【図１】
0004388196.tif 000002
【図２】
0004388196.tif 000003
【図３】
0004388196.tif 000004
【図４】
0004388196.tif 000005